(57)【要約】【課題】  従来、シンク槽とカウンタートップにまな板を設置して使用するに最適なまな板の構造であって、まな板の一部の下面には、一本又は数本のまな板用支持具を設け、支持具をシンク槽内に設けるとともに、まな板の他部の裏面を、カウンタートップに設置して支持する構造である。従って、流し台の調理台ユニット領域の狭さの解消には、有効であるが、まな板の高さ調整はできない課題がある。【解決手段】  本発明は、表面に粘着樹脂を設けた支持台裏面の四隅部に設けた凹部と、凹部に穿設した横孔と、凹部に起伏自在に枢支した脚と、脚の基端側に設けた貫通孔と、少なくとも横孔に挿入し、支持台と脚を枢支する止めピンと、支持台の裏面にそれぞれ設けた一方の対の磁石と、脚の可動方向の端面に設けた他方の対の磁石と、一方の対の磁石と、他方の対の磁石との吸着で、脚の起伏を図るまな板の支持台で、支持台の高さ調整ができる。【選択図】      図１−１
2010268824.tif 000002
【特許請求の範囲】
【請求項１】
表面に粘着樹脂を設けた支持台と、この支持台の裏面の各隅部にそれぞれ設けた凹部と、この各凹部に端面からそれぞれ穿設した横孔と、前記各凹部に起伏自在に、それぞれ枢支される脚と、この各脚の基端側に、それぞれ設けた貫通孔と、少なくとも、前記各横孔に、それぞれ挿入し、前記支持台とこの各脚を枢支する止めピンと、前記支持台の裏面にそれぞれ設けた一方の対の磁石と、前記各脚の可動方向の端面に設けた他方の対の磁石と、この各一方の対の磁石と、他方の対の磁石との吸着で、前記脚の起伏を図る構成としたまな板の支持台。
【請求項２】
請求項１に記載のまな板の支持台であって、
前記脚は、脚部材を、取付け、取外すことで、その長さを調整可能とする構成としたまな板の支持台。
【請求項３】
請求項１に記載のまな板の支持台であって、
前記各脚の回転方向に沿った端面に設けた磁石と、前記凹部の長手方向の端面に設けた複数の磁石が、反発する構造とし、この反発する構造を利用して、この各脚は、一方の磁石と他方の磁石の一方の吸着から離間した後に、自動的に、一方の磁石と他方の磁石の他方の吸着に移行する構成としたまな板の支持台。
【請求項４】
請求項１に記載のまな板の支持台であって、
前記支持台は、丁番で、二つ折り可能にする構造であって、二つ折りした際に、前記脚が衝止しないようにするために、その取付け位置を、互い違いにする構成としたまな板の支持台。
【請求項５】
請求項１に記載のまな板の支持台であって、
前記支持台に、折畳み自在の塵袋引掛け用の環体を設ける構成としたまな板の支持台。
【発明の詳細な説明】
【技術分野】
【０００１】
本発明は、まな板の支持台に関する。
【背景技術】
【０００２】
キッチンの流し台（シンク）が狭隘であり、この流し台の高さは、日本人の標準身長に添った規定である。それがために、この流し台でまな板を使用し、調理する場合において、身長が標準を超えた人は、通常の姿勢（体を折曲げた状態）では、まな板に届かないことから、体を、窮屈に折曲げた状態、又は腰を屈めた状態等の如く、傍目に気の毒な状態で、調理する。従って、大変に厄介であり、また危険性を伴うことがあり、その改良が望まれている。
【０００３】
また、流し台の天板スペースは、コンロ領域、調理台ユニット領域と、シンクで構成されている。そして、この調理台ユニット領域の狭いスペースに、例えば、調理済み素材や、食器、湯のみやグラス、箸、スプーン等の食器類と、その他、鍋、フライパン、又は包丁等の調理道具を載置する。従って、この調理台ユニット領域に、まな板を設置するスペースが、極端に狭くなること、また、場合により、設置が困難な状況もあり得る等の問題を抱えていること、又は安心して使用できないこと、或いは、思わぬ怪我をする危険がある等の改良点がある。
【０００４】
以上のような状況の改良と、要望に答え得る先行文献の一例を、以下に列挙する。
【０００５】
文献（１）は、特開２００５−３０５０００の「まな板用支持具」であり、この発明は、シンク槽と、カウンタートップにまな板を設置（載架）して（まな板の一部がシンク槽内に位置する状態で）使用する場合に最適なまな板を提供することにあり、その構造は、まな板の一部の下面に、一本又は数本設けたまな板用支持具を、シンク槽内に設け、まな板の裏面を、カウンタートップに設置して支持する構造である。従って、この発明は、流し台の調理台ユニット領域の狭さの解消には、有効であるが、まな板の高さ調整はできない。
【０００６】
また文献（２）は、特開２００７−８２９６９の「まな板支え支柱」であり、この発明は、文献（１）と略同じ内容であり、まな板とは、別体構造の支柱に関し、その使用の仕方と特徴は略同じである。
【０００７】
更に文献（３）は、特開平８−５６７５３号の「上下する台」であり、この発明は、支持台の裏面に、切込み溝を形成し、この切込み溝に、リフターの上部突起を抜差し自在に設けた構造であり、この切込み溝と突起との係合関係を利用し、高さ調整を図ることと、この高さ調整を利用して、この支持台の上のまな板の高さ調整を図ること等を意図する。しかし、この発明は、安定性に欠けること、スリップの危険性があること等の使用上で解決すべき課題が考えられる。
【０００８】
【特許文献１】特開２００５−３０５０００
【特許文献２】特開２００７−８２９６９
【特許文献３】特開平８−５６７５３号
【発明の概要】
【発明が解決しようとする課題】
【０００９】
前述した、文献（１）、（２）は、まな板の高さ調整が達成できず、本発明が意図する「まな板の高さ調整」で、使用し易い、高さ位置の確保には、問題を残すこと、また、「調理台ユニット領域」の一部を載置することから、この「調理台ユニット領域」狭さを解決するには、十分とは考えられないこと等の改良点がある。
【００１０】
また、文献（３）は、支持台の切込み溝と、リフターの突起を利用し、この支持台の昇降を図る構造であるので、この支持台をまな板の高さ調整として利用できる特徴がある。しかし、切込み溝の中央部に、突起を係合した場合には、このまな板の手前側と奥面側が不安定となり、例えば、この手前側と奥面側で調理する際に、力の入れ具合に注意する必要があり、使用に不便であること、又は力の配分に躊躇すること等の如く、問題を抱えている。そして、また、このような使用では、使用時に転倒と、怪我の発生等の危険性があり、解決すべき課題である。
【課題を解決するための手段】
【００１１】
請求項１の発明は、まな板の支持台に設けた脚を、折畳み自在にすることで、多様な使用が図れるので、例えば、シンクと、調理台ユニット領域にまな板を配置し、この狭い調理台ユニット領域を有効利用できる構造のまな板の支持台を提供することを意図する。また、請求項１の発明は、支持台の脚が設置できる流し台の全ての領域で、この脚を利用し、まな板を、高い位置に設置できるので、身長が高い人が、違和感無く調理（料理）ができるようにすること、調理による疲労の軽減化に寄与できるようにすること等を意図する。さらに、請求項１の発明は、脚を、起立時と、折畳み時に、確実に固定できる構造を採用することで、例えば、この脚の安定性を確保し、また、この支持台が、常に、所定の状態を確保し、安全性の向上と、調理時の安全性、的確性を確保すること等を意図する。
【００１２】
請求項１は、表面に粘着樹脂を設けた支持台と、この支持台の裏面の各隅部にそれぞれ設けた凹部と、この各凹部に端面からそれぞれ穿設した横孔と、前記各凹部に起伏自在に、それぞれ枢支される脚と、この各脚の基端側に、それぞれ設けた貫通孔と、少なくとも、前記各横孔に、それぞれ挿入し、前記支持台とこの各脚を枢支する止めピンと、前記支持台の裏面にそれぞれ設けた一方の対の磁石と（各凹部の長手方向の端面と、支持台の裏面に、それぞれ設けた一方の対の磁石と、）、前記各脚の可動方向の端面に設けた他方の対の磁石と、この各一方の対の磁石と、他方の対の磁石との吸着で、前記脚の起伏を図る構成としたまな板の支持台である。
【００１３】
請求項２の発明は、請求項１の意図を達成すること、また、この請求項２の発明は、まな板の支持台に設けた脚を、伸縮自在にすることで、調理人の体格と、好み、又は慣習に対応できるまな板の支持台を提供することを意図する。
【００１４】
請求項２は、請求項１に記載のまな板の支持台であって、
前記脚は、脚部材を、取付け、取外すことで、その長さを調整可能とする構成としたまな板の支持台である。
【００１５】
請求項３の発明は、請求項１の意図を達成すること、また、この請求項３の発明は、まな板の支持台に設けた脚を、ワンタッチ操作で、起伏できる構造とし、この起伏作業の簡便性と、この脚の起伏状態の確実性を確保できるまな板の支持台を提供することを意図する。
【００１６】
請求項３は、請求項１に記載のまな板の支持台であって、
前記各脚の回転方向に沿った端面に設けた磁石と、前記凹部の長手方向の端面に設けた複数の磁石が、反発する構造とし、この反発する構造を利用して、この各脚は、一方の磁石と他方の磁石の一方の吸着から離間した後に、自動的に、一方の磁石と他方の磁石の他方の吸着に移行する構成としたまな板の支持台である。
【００１７】
請求項４の発明は、請求項１の意図を達成すること、また、この請求項４の発明は、まな板の支持台の支持台を、二つ折り可能とすることで、この支持台を、シンクと、調理台ユニット領域に配置する例と、この調理台ユニット領域に配備する等の如く、汎用的に配置できるまな板の支持台を提供することを意図する。
【００１８】
請求項４は、請求項１に記載のまな板の支持台であって、
前記支持台は、丁番で、二つ折り可能にする構造であって、二つ折りした際に、前記脚が衝止しないようにするために、その取付け位置を、互い違いにする構成としたまな板の支持台である。
【００１９】
請求項５の発明は、請求項１の意図を達成すること、また、この請求項５の発明は、まな板の支持台に多目的機能を発揮できること構造を提案することを意図する。
【００２０】
請求項５は、請求項１に記載のまな板の支持台であって、
前記支持台に、折畳み自在の塵袋引掛け用の環体を設ける構成としたまな板の支持台。
【発明の効果】
【００２１】
請求項１の発明は、表面に粘着樹脂を設けた支持台と、支持台の裏面の各隅部にそれぞれ設けた凹部と、各凹部に端面からそれぞれ穿設した横孔と、各凹部に起伏自在に、それぞれ枢支される脚と、各脚の基端側に、それぞれ設けた貫通孔と、少なくとも、各横孔に、それぞれ挿入し、支持台と各脚を枢支する止めピンと、支持台の裏面に、それぞれ設けた一方の対の磁石と、各脚の可動方向の端面に設けた他方の対の磁石と、各一方の対の磁石と、他方の対の磁石との吸着で、脚の起伏を図る構成としたまな板の支持台である。
【００２２】
従って、請求項１は、まな板の支持台に設けた脚を、折畳み自在にすることで、多様な使用が図れるので、例えば、シンクと、調理台ユニット領域にまな板を配置し、この狭い調理台ユニット領域を有効利用できる構造のまな板の支持台を提供できる特徴がある。また、請求項１は、支持台の脚が設置できる流し台の全ての領域で、この脚を利用し、まな板を、高い位置に設置できるので、身長が高い人が、違和感無く調理（料理）ができること、調理による疲労の軽減化に寄与できること等の実益を有する。さらに、請求項１は、脚を、起立時と、折畳み時に、確実に固定できる構造を採用することで、例えば、この脚の安定性を確保し、また、この支持台が、常に、所定の状態を確保し、安全性の向上と、調理時の安全性、的確性を確保できること等の特徴を有する。
【００２３】
請求項２の発明は、請求項１に記載のまな板の支持台であって、
脚は、脚部材を、取付け、取外すことで、長さを調整可能とする構成としたまな板の支持台である。
【００２４】
従って、請求項２は、請求項１の意図を達成できること、また、この請求項２の発明は、まな板の支持台に設けた脚を、伸縮自在にすることで、調理人の体格と、好み、又は慣習に対応できるまな板の支持台を提供できること等の特徴を有する。
【００２５】
請求項３の発明は、請求項１に記載のまな板の支持台であって、
各脚の回転方向に沿った端面に設けた磁石と、凹部の長手方向の端面に設けた複数の磁石が、反発する構造とし、反発する構造を利用して、各脚は、一方の磁石と他方の磁石の一方の吸着から離間した後に、自動的に、一方の磁石と他方の磁石の他方の吸着に移行する構成としたまな板の支持台である。
【００２６】
従って、請求項３は、請求項１の意図を達成できること、また、この請求項３は、まな板の支持台に設けた脚を、ワンタッチ操作で、起伏できる構造とし、この起伏作業の簡便性と、この脚の起伏状態の確実性を確保できるまな板の支持台を提供できること等の特徴を有する。
【００２７】
請求項４の発明は、請求項１に記載のまな板の支持台であって、
支持台は、丁番で、二つ折り可能にする構造であって、二つ折りした際に、脚が衝止しないようにするために、取付け位置を、互い違いにする構成としたまな板の支持台である。
【００２８】
従って、請求項４は、請求項１の意図を達成できること、また、この請求項４は、まな板の支持台の支持台を、二つ折り可能とすることで、この支持台を、シンクと、調理台ユニット領域に配置する例と、この調理台ユニット領域に配備する等の如く、汎用的に配置できるまな板の支持台を提供できること等の特徴を有する。
【００２９】
請求項５の発明は、請求項１に記載のまな板の支持台であって、
支持台に、折畳み自在の塵袋引掛け用の環体を設ける構成としたまな板の支持台。
【００３０】
従って、請求項５は、請求項１の意図を達成できること、また、この請求項５の発明は、まな板の支持台に多目的機能を発揮できること構造を提供できること等の特徴を有する。
【図面の簡単な説明】
【００３１】
【図１−１】本発明の一例を示した（以下省略）流し台のシンクに脚を立設（起立）し、調理台ユニット領域に脚を折畳み、まな板の支持台（支持台とする）を配置し、この支持台にまな板を設けた縮尺俯瞰図
【図１−２】流し台のシンクに脚を立設し、支持台を配置し、この支持台にまな板を設けた縮尺俯瞰図
【図１−３】流し台の調理台ユニット領域に脚を折畳み、支持台を配置し、この支持台にまな板を設けた縮尺俯瞰図
【図１−４】図１−２の別の一例であり、支持台にまな板を、傾斜して使用する別の例を示した縮尺俯瞰図
【図２−１】支持台の全体を示した俯瞰斜視図
【図２−２】図２−１の支持台に設けた折畳み環体を利用し、塵袋を吊下した状態の俯瞰斜視図
【図３−１】支持台の凹部と第一脚部材の関係で、この第一脚部材を折畳んだ状態を示した拡大模式図
【図３−２】支持台の凹部と第一脚部材の関係で、この第一脚部材を折畳んだ状態を示した分解拡大模式図
【図４−１】支持台の凹部と第一脚部材の関係で、この第一脚部材を立設した状態を示した拡大模式図
【図４−２】支持台の凹部と第一脚部材の関係で、この第一脚部材を立設した状態を示した分解拡大模式図
【図５】支持台と第一脚部材〜第三脚部材（多数脚部材の一例であり、総称する場合には、脚とする）との関係を仰視して示した拡大模式図
【図６−１】脚を折畳んだ（収容した）一部省略した裏面図
【図６−２】図６−１の側面図
【図７】支持台を起立した状態で、まな板を載架する過程を示した俯瞰図
【図８−１】別の一例を示した（以下省略）、支持台を折畳み可能とし、かつ脚を互い違い（交互）に設けた支持台の裏面図
【図８−２】図８−１を折畳んだ状態の側面図
【図９】脚の立設角度で、磁石が可動する一例を拡大して示した模式図
【図１０−１】脚の一例を示した要部の拡大断面図
【図１０−２】脚の他の一例を示した要部の拡大断面図
【図１０−３】脚の別の一例を示した要部の拡大断面図
【図１０−４−１】脚のさらに他の一例を示した要部の拡大断面図
【図１０−４−２】図１０−４−１の分解斜視図
【図１０−４−３】図１０−４−１の第一脚部材のスリットを示した裏面模式図
【図１１】従来の流し台の縮尺俯瞰図
【発明を実施するための形態】
【００３２】
流し台Ａ（天板スペース）は、コンロ領域Ａ１、調理台ユニット領域Ａ２と、シンクＡ３で構成されている。そして、この流し台Ａに配置される支持板１は、次のように構成される。
【００３３】
支持台１は、天板部（表面）に粘着樹脂２を有する。そして、裏面１ａの各隅部１００（複数個の場合には、単独で説明する）には、その長手方向Ｘに向かって、後述する脚の基端側５ｅを差込む凹部３が、それぞれ形成されている。この凹部３は、後述する第一脚部材５（脚の構成部材）の回転方向Ｑ（可動方向）の角隅の外側５ａが衝止しないように形成した傾斜端面３ａとし、原則として、他の端面３ｂ〜３ｄ（端面３ａと対峙する端面３ｂと、短手方向Ｙの端面３ｃ、３ｄ）は、垂直端面３ｂ〜３ｄとする。そして、この端面３ａ〜３ｄは、隅部１００に設けられるとともに、この端面３ａは、支持台１の短手方向Ｙに設けるが一例である。この支持台１の隅部１００には凹部３に至る横孔１０１がそれぞれ穿設されている。この横孔１０１は、支持台１の長手方向Ｘの端面１ｂから、この支持台１の短手方向Ｙに向かってそれぞれ穿設され、凹部３の端面３ｃ（図示せず）に至っている。尚、前記傾斜端面３ａは、外側５ａが衝止しないよう構造であれば、垂直端面３ａでも可能である。例えば、この外側５ａが回転する構造、例えば、外側５ａを曲面とする構造と、後述する磁石１０の外面が、この外側５ａより突出する構造等が考えられる。尚、前記粘着樹脂２は、この上に、後述するまな板２２を、確実に設置できること、また、まな板２２上に対する調理時の圧力緩衝と、振動防止、又は騒音防止等に役立つ素材を採用する。また、この粘着樹脂２の上面及び／又は下面に凹凸、スリット等の緩衝手段を付設することで、前述の各効果（圧力緩衝と、振動防止、又は騒音防止等）と、乾燥向上、水切り効果、或いは調理時間に囚われず、深夜又は早朝、病室等の静寂を要求される時間、場所等に制限されないこと等の有用性がある。
【００３４】
そして、この凹部３の端面３ａと、端面３ｂには、磁石６、７を設ける。この磁石６は、第一脚部材５が起立時に吸着し、磁石７は、この第一脚部材５が折畳み時に吸着するために設けられており、この起立時、又は折畳み時の状態を、確実、かつスムーズに保持することを目的とする。尚、図示しないが、磁石７は、支持台１の裏面１ａでも可能である。但し、この場合は、後述する磁石１１を、脚５の内側端面５ｄに設ける。
【００３５】
また、この各凹部３（図示では、四個）には、第一脚部材５の基端側５ｅが、それぞれ挿入される。そして、この基端側５ｅには貫通孔５００が穿設される。この貫通孔５００には、前記支持台１の横孔１０１より貫設した止めピン８が貫設され、その先端が、図示しない端面３ｃの孔に嵌入される。この貫設固止で、この第一脚部材５は、止めピン８を支軸として回転自在に枢着される。このように第一脚部材５が回転する際に、この第一脚部材５の回転方向Ｑの外側５ａが衝止しないように、前記凹部３の端面３ａは傾斜形状とする。また、この凹部３の底面３ｅは、第一脚部材５が回転する際に、第一脚部材５の基端側５ｅに邪魔とならない深みを有することと、この回転と、折畳み時において、他の端面３ｂと、第一脚部材５の基端側５ｅの端面５ｃ間には図示しない隙間を形成し、これらの目的と、折畳み等の状態を確保できる構造とする。
【００３６】
尚、この第一脚部材５の外側端面５ａと、内側端面５ｄには、磁石１０、１１を設ける（前述の如く、この磁石１１を、脚５の内側端面５ｄに設けることもあり得る）。この磁石１０は、第一脚部材５の起立時に、凹部３の端面３ａに設けた磁石６に吸着し、また、この磁石１１は、第一脚部材５の折畳み時に、凹部３の端面３ｂに設けた磁石７に吸着し、それぞれの状態が確保される構造である。そして、また、第一脚部材５の緩やかな自動回転を図るために、第一脚部材５の基端側５ｅの内側端面５ｃに設けた磁石１２と、凹部３の端面３ｃに複数個設けた反撥用の磁石１３を利用する。例えば、折畳み時において、第一脚部材５の基端側５ｅの内側端面５ｄに設けた磁石１１と、支持台１に設けた磁石７との吸着状態（折畳み状態）から、この吸着状態を、手動で離間する。その後、前記磁石１３と、磁石１２との反撥（リニア方式の反撥）を介して、自動的に、起立状態に移行し、その後、第一脚部材５の磁石１０と、凹部３の磁石６とが吸着する構造である（折畳み状態から起立状態への移行完了）。また、この起立状態から、折畳み状態への移行は、前述のリニヤ方式による折畳み状態から起立状態への移行に準ずる。最終的には、前記折畳み状態である。
【００３７】
前記脚は、前述した第一脚部材５に対して、第二脚部材５−１、第三脚部材５−２、或いは第四脚部材５−３、第Ｎ脚部材（図示しない）等の如く、一本又は複数本を、差込み口５ｇと突起５ｈを介して継足し可能とすることで、この脚の長さ調整をする。即ち、支持台１の高さ調整を可能とする。この高さ調整が、前述した、人の身長、又は調理姿勢と、調理の仕方、調理場所（環境）又はその材料に対応した、最適な状態を確保できる。図中１４は、脚の下端に設けたキャップを示す。この例では、脚の構造は、第一脚部材５〜第四脚部材５−３等とし、この各部材の継足しは、差
込み口５ｇを介して、差込み固定方式、ねじ込み固定方式、ピン固定方式等の各手段がある。そして、場合により、一体方式も可能である。尚、この第一脚部材５は、直線の脚本体側５ｆに対して基端側５ｅを、略直角方向に折曲げた構造とし、この基端側５ｅが、凹部３内に収容された状態（折畳み状態）で、この脚本体側５ｆが支持台１の裏面１ａに接触可能とすることで、例えば、脚を折曲げ状態で、この支持台１を、調理台ユニット領域Ａ２の上面に、安定的に配備可能となり重宝する。そして、この脚本体側５ｆの長短は、第一脚部材５〜第Ｎ脚部材を、必要時において、適宜、組み合わせた自在調整機構を採用するが、例えば、図１０−１に示す、第一脚部材５と、第二脚部材５−１間を入れ子式で、かつ長さ調整装置を備えた停止装置付きアクチュエータ機構５０１を内蔵する自在調整機構、図１０−２に示す、第一脚部材５と、第二脚部材５−１等の間における差込み・凹凸嵌合機構５０２で、第一脚部材５〜第Ｎ脚部材を、適宜、組み合わせた自在調整機構、又はこの第一脚部材５〜第Ｎ脚部材を、適宜、組み合わせた差込み式、図１０−３に示す、第一脚部材５と、第二脚部材５−１を嵌合孔５０３、複数の孔５０４と、止め具５０５の組合せによる自在調整機構等の各実施例が可能であり、限定されない。さらに、図１０−４−１〜図１０−４−３に示したさらに他の一例である脚の組付け及び／又は伸縮機構を説明すると、環状の第一脚部材５の下端に、その長手方向に開設した数本のスリット５０６と、このスリット５０６が開設された外周５ｉに刻設した螺子部５０７と、この螺子部５０７に螺嵌される内螺子を備えたナット５０８で構成し、この第一脚部材５に環状の第二脚部材５−１を挿入する。この適宜挿入と、スリット５０６にナット５０８を圧縮する（スリット５０６の螺子部５０７に、ナット５０６の内螺子を螺入する）ことで、このスリット５０６が圧縮されて、この箇所が内方に圧縮されることで、内側にある第二脚部材５−１を緊締する。この緊締を介して第一・第二脚部材５、５−１が固止される構造である。そして、望ましくは、第一脚部材５のスリット５０６を設けた箇所を、下端に向かって、縮径する（外側５ａを細くする）ことで、このナット５０８の螺入と、圧縮を容易にすることが望ましい。このように、第二脚部材５−１の第一脚部材５への挿入長さで、この状態の脚の長さが、自由に調整できる。そして、この脚の組付け及び／又は伸縮機構は、図示しないが、第二脚部材〜第Ｎ脚部材の長さ調整にも採用できることは勿論である。また、図示しないが、第一脚部材５〜第Ｎ脚部材を、磁石による自在調整機構、長短脚を、取替えで使用する自在調整機構等の例も可能である。尚、この脚の長短の実施例は、図１０−１〜図１０−３の他の構造は、前述の図５等の例に準ずる。
【００３８】
図中２０は支持板１に折畳み自在に設けた塵袋２１引掛け用の環体で、この環体２０で係止した塵袋２１内に残り物等を収容する。そして、折畳み時には、支持台１の裏面１ａに添接される。また、図中２２はまな板を示す。
【００３９】
この支持台１の使用方法は、図１−１に示した如く、流し台ＡのシンクＡ３にある支持台１の脚を立設し、調理台ユニット領域Ａ２にある支持台１の折畳んだ脚を配置した構造であり、支持台１を、この領域（シンクＡ３と調理台ユニット領域Ａ２）に立設し、かつまな板２２を支持台１の天板部に配備した構造である。狭い調理台ユニット領域Ａ２を有効利用する。尚、この例では、調理台ユニット領域Ａ２にある脚を折畳んだ状態を示しているが、この脚は、第一脚部材５を立設し、これに伴って、シンクＡ３にある支持台１の脚に、別の脚部材を継足し、シンクＡ３に立設した支持台１の脚の長さを延長することもできる。この操作で、この調理台ユニット領域Ａ２より高く、まな板２２の上面を配備できる特徴がある（他の例も同じ）。また、図１−２に示した如く、流し台ＡのシンクＡ３に支持台１のすべての脚を立設した構造であり、支持台１を、このシンクＡ３に立設し、かつまな板２２を支持台１の天板部に配備した構造である。狭い調理台ユニット領域Ａ２を、略１００％有効利用する。尚、この例では、調理台ユニット領域Ａ２の上面（天板）と、まな板２２の上面を、略同じ高さで配備している。しかし、調理台ユニット領域Ａ２の上面より、まな板２２の上面を高くする場合には、シンクＡ３に立設した支持台１の各脚に、別の脚部材を継足し、シンクＡ３に立設した支持台１の脚の長さを延長する方法が有効である。さらに、図１−３は、流し台Ａの調理台ユニット領域Ａ２に支持台１のすべての脚を折畳み、この調理台ユニット領域Ａ２の上面に、まな板を天板部に配備した支持台１を配置した例であるが、支持台１の脚（例えば、第一脚部材５及び／又は別の脚部材を継足し）を立設し、この調理台ユニット領域Ａ２より上に、まな板２２の上面を配置することもできる。以上の使用例は、一例であり、支持台１の脚の長短及び／又は調整を利用し、まな板２２の上面を、適宜の高さに配置し、高さの調整を介して、前述の欠点の解消と、素晴らしい調理及び／又はその方法と環境を図ることができる。
【００４０】
次に、図８−１、図８−２に示した別の一例を説明すると、この別の一例は、支持台１を折畳み可能とし、かつ支持台１の脚を裏面視して、互い違い（交互）に設けた構造であり、コンパクト化と、簡易な、支持台１及び／又はまな板２２の高さ調整を可能とする。例えば、単純に、脚を立設した状態におけるまな板２２の上面の高さ、又は脚の立設と脚を折畳んだ状態（図１−１参照）におけるまな板２２の上面の高さ、さらに、脚を折畳んだ状態におけるまな板２２の上面の高さ等が考えられる。そして、この支持台１の折畳みは、丁番２３を利用する。脚、粘着樹脂２等の構造、その他の構造は、前述の例に準ずる。
【００４１】
尚、前述した別の一例（使用例）である図１−４において、向かって、例えば、左右（対の差それぞれ）の脚を長短とし、支持台１及び／又はまた板２２を、傾斜することで、前述の各効果（圧力緩衝と、振動防止、又は騒音防止等）と、乾燥向上、水切り効果、或いは調理残渣処理（塵袋２１の使用時）に有効である等の有用性がある。例えば、シンクＡ３の上での、一方側の脚を高く、他方側の脚を低くし、支持台１及び／又はまた板２２が他方に下った傾斜状態での使用、又はシンクＡ３の脚を、調理台ユニット領域Ａ２の脚より低くし、支持台１及び／又はまた板２２のシンクＡ３側が下った傾斜状態での使用、さらに調理台ユニット領域Ａ２の上での、一方側の脚を高く、他方側（シンクＡ３側）の脚を低くし、支持台１及び／又はまた板２２のシンクＡ３側が下った傾斜状態での使用等ができる。このように支持台１及び／又はまな板２２を傾斜する手段として、図９の例が考えられる。この傾斜状態において、磁石６と、磁石１０の吸着を維持するために、この磁石６が可動する一例を示しており、端面３ａの孔に設けた軸６ａと取付け部６ｂを利用して、磁石６を可動する。この可動で、前記の如く、また板２２の傾斜に追従し、第一脚部材５（脚）が傾斜しても、この第一脚部材５の磁石１０と、この磁石６の吸着が確保される構造である（他の第一脚部材５も同じである）。
【符号の説明】
【００４２】
１            支持台
１ａ          裏面
１ｂ          端面
１００        隅部
１０１        横孔
２            粘着樹脂
３            凹部
３ａ〜３ｄ    端面
３ｅ          底面
５            第一脚部材
５−１        第二脚部材
５−２        第三脚部材
５−３        第四脚部材
５００        貫通孔
５０１        アクチュエータ機構
５０２        差込み・凹凸嵌合機構
５０３        嵌合孔
５０４        孔
５０５        止め具
５０６        スリット
５０７        螺子部
５０８        ナット
５ａ          外側
５ｂ〜５ｄ    端面
５ｅ          基端側
５ｆ          脚本体側
５ｇ          差込み口
５ｈ          突起
５ｉ          外周
６            磁石
６ａ          軸
６ｂ          取付け部
７            磁石
８            止めピン
１０〜１３    磁石
１４          キャップ
２０          環体
２１          塵袋
２２          まな板
２３          丁番
Ａ            流し台
Ａ１          コンロ領域
Ａ２          調理台ユニット領域
Ａ３          シンク
Ｘ            長手方向
Ｙ            短手方向
Ｑ            回転方向
【図１−１】
2010268824.tif 000003
【図１−２】
2010268824.tif 000004
【図１−３】
2010268824.tif 000005
【図１−４】
2010268824.tif 000006
【図２−１】
2010268824.tif 000007
【図２−２】
2010268824.tif 000008
【図３−１】
2010268824.tif 000009
【図３−２】
2010268824.tif 000010
【図４−１】
2010268824.tif 000011
【図４−２】
2010268824.tif 000012
【図５】
2010268824.tif 000013
【図６−１】
2010268824.tif 000014
【図６−２】
2010268824.tif 000015
【図７】
2010268824.tif 000016
【図８−１】
2010268824.tif 000017
【図８−２】
2010268824.tif 000018
【図９】
2010268824.tif 000019
【図１０−１】
2010268824.tif 000020
【図１０−２】
2010268824.tif 000021
【図１０−３】
2010268824.tif 000022
【図１０−４−１】
2010268824.tif 000023
【図１０−４−２】
2010268824.tif 000024
【図１０−４−３】
2010268824.tif 000025
【図１１】
2010268824.tif 000026